(57)【要約】【課題】断裁後の用紙の異常を検出した場合のリカバリにおいて、無駄な用紙の発生を抑制する。【解決手段】出力用紙に、複数ページの画像をレイアウトするレイアウト部と、出力用紙に、複数ページの画像を形成する画像形成部と、出力用紙をページ単位で断裁する断裁部と、を備える画像形成装置に、断裁された用紙の異常を検出した場合に、リカバリする用紙を判断し、当該用紙に形成されたページをリカバリ対象として特定するリカバリ制御部を設け、レイアウト部は、出力用紙に、リカバリ対象として特定されたページの画像を再レイアウトする制御を行う。【選択図】図５
2020001358.tif 000002
【特許請求の範囲】
【請求項１】
出力用紙に、複数ページの画像をレイアウトするレイアウト部と、
前記出力用紙に、レイアウトされた前記複数ページの画像を形成する画像形成部と、
前記出力用紙をページ単位で断裁する断裁部と、を備える画像形成装置において、
断裁された用紙の異常を検出した場合に、リカバリを行う用紙を判断し、当該用紙に形成されたページをリカバリ対象として特定するリカバリ制御部を備え、
前記レイアウト部は、前記出力用紙に、前記リカバリ対象として特定されたページの画像を再レイアウトする、
ことを特徴とする画像形成装置。
【請求項２】
前記リカバリ制御部は、前記出力用紙を断裁した複数の用紙の内の、後段の用紙の異常を検出した場合、前段の用紙に形成したページは、前記リカバリ対象から除外する、
ことを特徴とする請求項１に記載の画像形成装置。
【請求項３】
前記画像形成装置は、断裁された用紙に後処理を行う後処理部を備え、
前記リカバリ制御部は、前記後処理部でジャムが発生した場合、ジャムが発生した用紙以降の用紙に形成したページを、前記リカバリ対象とする、
ことを特徴とする請求項１又は２に記載の画像形成装置。
【請求項４】
前記リカバリ制御部は、前記ジャムが発生した用紙以降の用紙に形成したページの内の、前記後処理部に残存する再利用可能なページは、前記リカバリ対象から除外する、
ことを特徴とする請求項３に記載の画像形成装置。
【請求項５】
前記リカバリ制御部は、断裁された用紙に形成されたページの画像の濃度及び／又は位置の異常を検出した場合、当該ページを、前記リカバリ対象に追加する、
ことを特徴とする請求項１乃至４のいずれか一に記載の画像形成装置。
【請求項６】
前記リカバリ制御部は、リカバリ時に画像の再レイアウトを実施するか否かを選択させる設定画面を表示部に表示させ、再レイアウトの実施が選択された場合に、前記レイアウト部に再レイアウトを指示する、
ことを特徴とする請求項１乃至５のいずれか一に記載の画像形成装置。
【請求項７】
前記レイアウト部は、複数部又は複数ジョブに跨る複数ページの画像を再レイアウトする、
ことを特徴とする請求項１乃至６のいずれか一に記載の画像形成装置。
【請求項８】
出力用紙に複数ページの画像を形成する画像形成部と、前記出力用紙をページ単位で断裁する断裁部と、を備える画像形成装置で動作するリカバリ制御プログラムであって、
前記画像形成装置に、
前記出力用紙に、前記複数ページの画像をレイアウトする第１レイアウト処理、
断裁された用紙の異常を検出した場合に、リカバリを行う用紙を判断し、当該用紙に形成されたページをリカバリ対象として特定するリカバリ処理、
前記出力用紙に、前記リカバリ対象として特定されたページの画像を再レイアウトする第２レイアウト処理、を実行させる、
ことを特徴とするリカバリ制御プログラム。
【請求項９】
前記リカバリ処理では、前記出力用紙を断裁した複数の用紙の内の、後段の用紙の異常を検出した場合、前段の用紙に形成したページは、前記リカバリ対象から除外する、
ことを特徴とする請求項８に記載のリカバリ制御プログラム。
【請求項１０】
前記画像形成装置は、断裁された用紙に後処理を行う後処理部を備え、
前記リカバリ処理では、前記後処理部でジャムが発生した場合、ジャムが発生した用紙以降の用紙に形成したページを、前記リカバリ対象とする、
ことを特徴とする請求項８又は９に記載のリカバリ制御プログラム。
【請求項１１】
前記リカバリ処理では、前記ジャムが発生した用紙以降の用紙に形成したページの内の、前記後処理部に残存する再利用可能なページは、前記リカバリ対象から除外する、
ことを特徴とする請求項１０に記載のリカバリ制御プログラム。
【請求項１２】
前記リカバリ処理では、断裁された用紙に形成されたページの画像の濃度及び／又は位置の異常を検出した場合、当該ページを、前記リカバリ対象に追加する、
ことを特徴とする請求項８乃至１１のいずれか一に記載のリカバリ制御プログラム。
【請求項１３】
前記リカバリ処理では、リカバリ時に画像の再レイアウトを実施するか否かを選択させる設定画面を表示部に表示させ、
前記第２レイアウト処理では、前記設定画面で再レイアウトの実施が選択された場合に、再レイアウトを実施する、
ことを特徴とする請求項８乃至１２のいずれか一に記載のリカバリ制御プログラム。
【請求項１４】
前記第２レイアウト処理では、複数部又は複数ジョブに跨る複数ページの画像を再レイアウトする、
ことを特徴とする請求項８乃至１３のいずれか一に記載のリカバリ制御プログラム。
【請求項１５】
画像形成部と断裁部とを備える画像形成装置におけるリカバリ制御方法であって、
出力用紙に、複数ページの画像をレイアウトする第１レイアウト処理と、
前記画像形成部が、前記出力用紙に、レイアウトされた前記複数ページの画像を形成する画像形成処理と、
前記断裁部が、前記出力用紙をページ単位で断裁する断裁処理と、
断裁された用紙の異常を検出した場合に、リカバリを行う用紙を判断し、当該用紙に形成されたページをリカバリ対象として特定するリカバリ処理と、
前記出力用紙に、前記リカバリ対象として特定されたページの画像を再レイアウトする第２レイアウト処理と、を実行する、
ことを特徴とするリカバリ制御方法。
【請求項１６】
前記リカバリ処理では、前記出力用紙を断裁した複数の用紙の内の、後段の用紙の異常を検出した場合、前段の用紙に形成したページは、前記リカバリ対象から除外する、
ことを特徴とする請求項１５に記載のリカバリ制御方法。
【請求項１７】
前記画像形成装置は、断裁された用紙に後処理を行う後処理部を備え、
前記リカバリ処理では、前記後処理部でジャムが発生した場合、ジャムが発生した用紙以降の用紙に形成したページを、前記リカバリ対象とする、
ことを特徴とする請求項１５又は１６に記載のリカバリ制御方法。
【請求項１８】
前記リカバリ処理では、前記ジャムが発生した用紙以降の用紙に形成したページの内の、前記後処理部に残存する再利用可能なページは、前記リカバリ対象から除外する、
ことを特徴とする請求項１７に記載のリカバリ制御方法。
【請求項１９】
前記リカバリ処理では、断裁された用紙に形成されたページの画像の濃度及び／又は位置の異常を検出した場合、当該ページを、前記リカバリ対象に追加する、
ことを特徴とする請求項１５乃至１８のいずれか一に記載のリカバリ制御方法。
【請求項２０】
前記リカバリ処理では、リカバリ時に画像の再レイアウトを実施するか否かを選択させる設定画面を表示部に表示させ、
前記第２レイアウト処理では、前記設定画面で再レイアウトの実施が選択された場合に、再レイアウトを実施する、
ことを特徴とする請求項１５乃至１９のいずれか一に記載のリカバリ制御方法。
【請求項２１】
前記第２レイアウト処理では、複数部又は複数ジョブに跨る複数ページの画像を再レイアウトする、
ことを特徴とする請求項１５乃至２０のいずれか一に記載のリカバリ制御方法。
【発明の詳細な説明】
【技術分野】
【０００１】
本発明は、画像形成装置、リカバリ制御プログラム及びリカバリ制御方法に関し、特に、出力用紙に複数ページの画像をレイアウトし、ページ単位で断裁して出力する画像形成装置、断裁された用紙に異常を検出した場合のリカバリを制御するリカバリ制御プログラム及びリカバリ制御方法に関する。
【背景技術】
【０００２】
近年のＭＦＰ（Multi-Functional Peripherals）などの画像形成装置は、１枚の用紙に複数ページの画像をレイアウトする面付け機能を備えているものが多く、面付け機能を用いて複数ページの画像を形成した出力用紙を、断裁機で断裁した後、必要に応じて、後処理機でステープルなどの後処理を実施することにより、印刷物が作成される。このように、画像形成と断裁と必要に応じて後処理などを連続して実施する場合、断裁後の検査で画像の濃度や位置の異常を検出したり、後処理時に紙詰まり（ジャム）などの異常を検出したりした場合、リカバリを実施することになるが、その際、印刷物全体を作成し直すと、無駄な用紙（いわゆるヤレ紙）が発生する。
【０００３】
画像形成後に断裁や後処理などを実施する技術ではないが、ヤレ紙の発生を抑える技術に関して、例えば、下記特許文献１には、記録材に画像を形成する画像形成部と、前記画像形成部を制御する制御部と、を備え、前記制御部は、画像形成の調整に関連して所定の画像を記録材に出力する機能と、記録材の画像の読み取り結果に基づいて画像の状態を取得する機能と、画像形成に関する複数の調整項目を一括して調整する一括調整機能と、を有し、一括調整に際し、所定の画像として調整項目確認用の画像を記録材に出力して、一括調整で実施する調整項目を設定し、さらに所定の画像として、設定された調整項目に関する調整用の画像を記録材に出力し、該記録材の画像の読み取り結果に基づいて画像情報を取得し、取得された画像情報に基づいて、設定された調整項目による一括調整を行う画像形成装置が開示されている。
【先行技術文献】
【特許文献】
【０００４】
【特許文献１】特開２０１７−２０８６８５号公報
【発明の概要】
【発明が解決しようとする課題】
【０００５】
上述したように、リカバリを実施する際に印刷物全体を作成し直すと、無駄な用紙が発生する。例えば、後処理時にジャムを検出した場合、印刷物全体を作成し直すと、ジャムを検出した用紙よりも前の用紙が無駄になる。また、断裁後の後段の用紙で異常を検出した場合、断裁前の用紙（複数ページの画像をレイアウトする用紙）に対してリカバリを実施すると、断裁後の前段の用紙が無駄になる。
【０００６】
本発明は、上記問題点に鑑みてなされたものであって、その主たる目的は、断裁後の用紙の異常を検出した場合のリカバリにおいて、無駄な用紙の発生を抑制することができる画像形成装置、リカバリ制御プログラム及びリカバリ制御方法を提供することにある。
【課題を解決するための手段】
【０００７】
本発明の一側面は、出力用紙に、複数ページの画像をレイアウトするレイアウト部と、前記出力用紙に、レイアウトされた前記複数ページの画像を形成する画像形成部と、前記出力用紙をページ単位で断裁する断裁部と、を備える画像形成装置において、断裁された用紙の異常を検出した場合に、リカバリを行う用紙を判断し、当該用紙に形成されたページをリカバリ対象として特定するリカバリ制御部を備え、前記レイアウト部は、前記出力用紙に、前記リカバリ対象として特定されたページの画像を再レイアウトすることを特徴とする。
【０００８】
本発明の一側面は、出力用紙に複数ページの画像を形成する画像形成部と、前記出力用紙をページ単位で断裁する断裁部と、を備える画像形成装置で動作するリカバリ制御プログラムであって、前記画像形成装置に、前記出力用紙に、前記複数ページの画像をレイアウトする第１レイアウト処理、断裁された用紙の異常を検出した場合に、リカバリを行う用紙を判断し、当該用紙に形成されたページをリカバリ対象として特定するリカバリ処理、前記出力用紙に、前記リカバリ対象として特定されたページの画像を再レイアウトする第２レイアウト処理、を実行させることを特徴とする。
【０００９】
本発明の一側面は、画像形成部と断裁部とを備える画像形成装置におけるリカバリ制御方法であって、出力用紙に、複数ページの画像をレイアウトする第１レイアウト処理と、前記画像形成部が、前記出力用紙に、レイアウトされた前記複数ページの画像を形成する画像形成処理と、前記断裁部が、前記出力用紙をページ単位で断裁する断裁処理と、断裁された用紙の異常を検出した場合に、リカバリを行う用紙を判断し、当該用紙に形成されたページをリカバリ対象として特定するリカバリ処理と、前記出力用紙に、前記リカバリ対象として特定されたページの画像を再レイアウトする第２レイアウト処理と、を実行することを特徴とする。
【発明の効果】
【００１０】
本発明の画像形成装置、リカバリ制御プログラム及びリカバリ制御方法によれば、断裁後の用紙の異常を検出した場合のリカバリにおいて、無駄な用紙の発生を抑制することができる。
【００１１】
その理由は、出力用紙に、複数ページの画像をレイアウトするレイアウト部と、出力用紙に、複数ページの画像を形成する画像形成部と、出力用紙をページ単位で断裁する断裁部と、を備える画像形成装置に、断裁された用紙の異常を検出した場合に、リカバリする用紙を判断し、当該用紙に形成されたページをリカバリ対象として特定するリカバリ制御部を設け、レイアウト部は、出力用紙に、リカバリ対象として特定されたページの画像を再レイアウトする制御を行うからである。
【図面の簡単な説明】
【００１２】
【図１】本発明の第１の実施例に係る印刷システムの構成を示す模式図である。
【図２】本発明の第１の実施例に係るクライアント端末の構成を示すブロック図である。
【図３】本発明の第１の実施例に係る画像形成装置の構成を示す模式図である。
【図４】本発明の第１の実施例に係る画像形成装置の構成を示すブロック図である。
【図５】本発明の第１の実施例に係る画像形成装置の動作を示すフローチャート図である。
【図６】印刷物作成時にジャムが発生した場合を説明する模式図である。
【図７】図６のジャムに対してリカバリする場合を説明する模式図である。
【図８】本発明の第２の実施例に係る画像形成装置の動作を示すフローチャート図である。
【図９】印刷物作成時にジャムが発生した場合を説明する模式図である。
【図１０】図９のジャムに対してリカバリする場合を説明する模式図である。
【図１１】本発明の第３の実施例に係る画像形成装置の動作を示すフローチャート図である。
【図１２】本発明の第３の実施例に係る画像形成装置に表示される設定画面の一例である。
【図１３】画像形成装置と断裁機と後処理機とを用いた従来の印刷物作成方法を説明する模式図である。
【図１４】印刷物作成時にジャムが発生した場合を説明する模式図である。
【図１５】ジャムに対してリカバリする場合を説明する模式図である。
【発明を実施するための形態】
【００１３】
背景技術で示したように、画像形成と断裁と必要に応じて後処理などを連続して実施する場合、断裁後の検査で画像の濃度や位置の異常を検出したり、後処理時に紙詰まり（ジャム）などの異常を検出したりした場合、リカバリを行うことになるが、その際、印刷物全体を作成し直すと、無駄な用紙が発生する。例えば、後処理時にジャムを検出した場合、印刷物全体を作成し直すと、ジャムを検出した用紙よりも前の用紙が無駄になる。また、断裁後の後段の用紙で異常を検出した場合、断裁前の用紙（複数ページの画像をレイアウトする用紙）に対してリカバリを実施すると、断裁後の前段の用紙が無駄になる。
【００１４】
以下、図面を参照して具体的に説明する。図１３（ａ）に示すように、Ａ４原稿３ページ（Ｐ１〜Ｐ３）を２部出力するジョブを実施する場合、図１３（ｂ）に示すように、画像形成装置でＡ３用紙４枚に２ｉｎ１でページをレイアウトして画像形成し、図１３（ｃ）に示すように、断裁機でＡ４サイズに断裁後、図１３（ｄ）に示すように、後処理機でステープル出力する。この場合、断裁後の４枚目及び８枚目の白紙はパージトレイに排紙され、Ｐ１〜Ｐ３の原稿をステープルした印刷物が２部作成される。
【００１５】
このような処理を行う場合に、図１４（ａ）〜（ｄ）に示すように、１枚目のＡ３用紙の断裁後、後段のＡ４用紙（１部目のＰ２）で異常を検出した場合（例えば、後処理機での後処理時にＰ２でジャムを検出した場合）、１部目のＰ２以降の用紙を除去した後、リカバリを実施することになる。例えば、１部目のＰ２の異常発生時に、３枚目のＡ３用紙（２部目のＰ１及びＰ２）の画像形成及び断裁が完了しているとすると、１部目のＰ２、Ｐ３、２部目のＰ１、Ｐ２の用紙を除去した後、リカバリを実施する。
【００１６】
このリカバリでは、図１５（ａ）に示すように、Ａ３用紙４枚にＡ４原稿の３ページ（リカバリしたページであることをハッチングで表している。）を２ｉｎ１でレイアウトして画像形成し、図１５（ｂ）に示すように、断裁機でＡ４サイズに断裁後、図１５（ｃ）に示すように、後処理機でステープル出力するが、１部目のＰ１（白塗りの「Ｐ１」）は後処理機に残存しており、リカバリ時の１部目のＰ１は不要となるため、断裁機での断裁時に、パージトレイに出力されることになり、無駄な用紙が発生する。
【００１７】
そこで、本発明の一実施の形態では、画像形成と断裁と必要に応じて後処理などを連続して実施するジョブを処理する際に、断裁後の用紙の異常を検出した場合のリカバリにおいて、利用可能なページがリカバリされないように、再レイアウトを実施する。
【００１８】
具体的には、出力用紙に、複数ページの画像をレイアウトするレイアウト部と、出力用紙に、複数ページの画像を形成する画像形成部と、出力用紙をページ単位で断裁する断裁部と、を備える画像形成装置に、断裁された用紙の異常を検出した場合に、リカバリする用紙を判断し、当該用紙に形成されたページをリカバリ対象として特定するリカバリ制御部を設け、レイアウト部は、出力用紙に、リカバリ対象として特定されたページの画像を再レイアウトする。例えば、リカバリ制御部は、出力用紙を断裁した複数の用紙の内の、後段の用紙の異常を検出した場合、前段の用紙に形成したページは、リカバリ対象から除外したり、後処理部でジャムが発生した場合、ジャムが発生した用紙以降の用紙に形成したページを、リカバリ対象としたり、ジャムが発生した用紙以降の用紙に形成したページの内の、後処理部に残存する再利用可能なページは、リカバリ対象から除外したり、断裁された用紙に形成されたページの画像の濃度及び／又は位置の異常を検出した場合、当該ページを、リカバリ対象に追加したりする。
【００１９】
このような制御を行うことにより、断裁後の用紙の異常を検出した場合のリカバリにおいて、無駄な用紙の発生を抑制することができる。
【実施例１】
【００２０】
上記した本発明の一実施の形態についてさらに詳細に説明すべく、本発明の第１の実施例に係る画像形成装置、リカバリ制御プログラム及びリカバリ制御方法について、図１乃至図７を参照して説明する。図１は、本実施例の印刷システムの構成を示す模式図であり、図２は、本実施例のクライアント端末の構成を示すブロック図である。また、図３は、本実施例の画像形成装置の構成を示す模式図であり、図４は、画像形成装置の構成を示すブロック図である。また、図５は、本実施例の画像形成装置の動作を示すフローチャート図であり、図６は、印刷物作成時にジャムが発生した場合を説明する模式図、図７は、ジャムに対してリカバリする場合を説明する模式図である。
【００２１】
図１に示すように、本実施例の印刷システム１０は、クライアント端末２０と画像形成装置３０などで構成される。これらは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワークを介して接続されている。なお、図１では、印刷システム１０をクライアント端末２０と画像形成装置３０とで構成したが、通信ネットワークにコントローラが接続され、コントローラと画像形成装置３０とが、ＬＡＮやＷＡＮ、又は、ＰＣＩ（Peripheral Component Interconnect）接続などの専用線で接続される構成としてもよい。以下、図１の構成を前提にして、各装置について説明する。
【００２２】
［クライアント端末］
クライアント端末２０は、パーソナルコンピュータなどのコンピュータ装置であり、画像形成装置３０にジョブを送信する。このクライアント端末２０は、図２（ａ）に示すように、制御部２１、記憶部２２、ネットワークＩ／Ｆ部２３、表示部２４、操作部２５などで構成される。
【００２３】
制御部２１は、ＣＰＵ（Central Processing Unit）２１ａと、ＲＯＭ（Read Only Memory）２１ｂやＲＡＭ（Random Access Memory）２１ｃなどのメモリとで構成され、ＣＰＵ２１ａは、ＲＯＭ２１ｂや記憶部２２に記憶した制御プログラムをＲＡＭ２１ｃに展開して実行することにより、クライアント端末２０全体の動作を制御する。また、図２（ｂ）に示すように、上記制御部２１（ＣＰＵ２１ａ）により、ＯＳ（Operating System）２６、アプリケーション２７、プリンタドライバ２８などが実行される。
【００２４】
ＯＳ２６は、Windows（登録商標）やmacOS（登録商標）、Android（登録商標）などであり、クライアント端末２０でアプリケーション２７、プリンタドライバ２８などを動作可能にする。
【００２５】
アプリケーション２７は、例えば、原稿作成を行うソフトウェアであり、印刷指示の際にプリンタドライバ２８を読み出し、アプリケーション２７で作成した原稿データをプリンタドライバ２８に転送する。
【００２６】
プリンタドライバ２８は、アプリケーション２７で作成した原稿データを、画像形成装置３０が解釈可能な言語のジョブ（ＰＪＬ（Printer Job Language）やＰＳ（PostScript）、ＰＣＬ（Printer Control Language）等のページ記述言語で記述されたＰＤＬ（Page Description Language）データ、または、ＰＤＦ（Portable Document Format）データ）に変換し、当該ジョブを画像形成装置３０に送信する。その際、プリンタドライバ２８は、表示部２４に印刷設定画面を表示させ、印刷設定画面で設定された設定情報（本実施例では、原稿サイズ、原稿枚数、出力用紙サイズ、印刷部数、用紙分割モードの指定、レイアウト条件、断裁条件、後処理条件など）をプリントチケットなどに記述してジョブに付加する。
【００２７】
記憶部２２は、ＨＤＤ（Hard Disk Drive）やＳＳＤ（Solid State Drive）などで構成され、ＣＰＵ２１ａが各部を制御するためのプログラム、原稿データ、ジョブなどを保存する。
【００２８】
ネットワークＩ／Ｆ部２３は、ＮＩＣ（Network Interface Card）やモデムなどで構成され、クライアント端末２０を通信ネットワークに接続し、画像形成装置３０にジョブ（複数部の印刷を指示するジョブや複数のジョブ）を送信する。
【００２９】
表示部２４は、液晶表示装置（ＬＣＤ：Liquid Crystal Display）や有機ＥＬ（electroluminescence）表示装置などで構成され、アプリケーション２７の原稿作成画面、プリンタドライバ２８の印刷設定画面などを表示する。
【００３０】
操作部２５は、マウスやキーボードなどで構成され、アプリケーション２７を用いた原稿の作成、プリンタドライバ２８を用いた印刷設定などの操作を可能にする。
【００３１】
［画像形成装置］
画像形成装置３０は、クライアント端末２０から受信したジョブを処理するＭＦＰなどであり、本実施例では、図３に示すように、断裁機と後処理機の機能を備える。この画像形成装置３０は、図４（ａ）に示すように、制御部３１、記憶部３２、ネットワークＩ／Ｆ部３３、表示操作部３４、画像処理部３５、画像読取部３６、印刷部３７、断裁部３８、後処理部３９などで構成される。
【００３２】
制御部３１は、ＣＰＵ３１ａとＲＯＭ３１ｂやＲＡＭ３１ｃなどのメモリとで構成され、ＣＰＵ３１ａは、ＲＯＭ３１ｂや記憶部３２に記憶した制御プログラム（後述するリカバリ制御プログラムを含む。）をＲＡＭ３１ｃに展開して実行することにより、画像形成装置３０全体の動作を制御する。
【００３３】
記憶部３２は、ＨＤＤやＳＳＤなどで構成され、ＣＰＵ３１ａが各部を制御するためのプログラム、自装置の処理機能に関する情報、クライアント端末２０から受信したジョブ、画像処理部３５が生成した画像データ、後述するレイアウト部４１が複数ページの画像をレイアウトした画像データなどを記憶する。
【００３４】
ネットワークＩ／Ｆ部３３は、ＮＩＣやモデムなどで構成され、画像形成装置３０を通信ネットワークに接続し、クライアント端末２０からジョブ（複数部の印刷を指示するジョブや複数のジョブ）を受信する。
【００３５】
表示操作部３４は、表示部上に透明電極が格子状に配置された感圧式や静電容量式の操作部（タッチセンサ）を設けたタッチパネルなどであり、各種画面（特に、後述する設定画面）を表示し、各種操作（特に、後述する設定画面におけるレイアウト変更をするかしないかの選択操作）を可能にする。なお、ここでは、表示操作部３４を表示部と操作部とが一体となったタッチパネルとしているが、表示部と操作部とは別々の装置としてもよい。
【００３６】
画像処理部３５は、ＲＩＰ（Raster Image Processor）として機能し、ジョブから中間データ（中間言語であるディスプレイリスト（ＤＬ：Display List））を生成し、原稿の各ページをラスタライズしてビットマップ形式の画像データを生成する。また、画像処理部３５は、必要に応じて、画像データに対して、スクリーン処理、階調補正、濃度バランス調整、細線化、網点処理などを行う。そして、画像処理部３５は、生成した画像データを印刷部３７や後述するレイアウト部４１に出力する。
【００３７】
画像読取部３６は、原稿台上に載置された原稿から画像データを光学的に読み取る部分であり、原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。なお、この画像読取部３６は必須ではない。
【００３８】
印刷部３７は、画像処理部３５で画像処理を行った画像データや後述するレイアウト部４１が複数ページの画像をレイアウトした画像データに基づき、用紙への印刷処理を行う部分であり、給紙トレイ３７ａ、画像形成部３７ｂなどを備える。給紙トレイ３７ａは、画像形成部３７ｂに出力用紙を供給する。画像形成部３７ｂは、帯電装置により帯電された感光体ドラムに露光装置から画像に応じた光を照射して静電潜像を形成し、現像装置で帯電したトナーを付着させて現像し、そのトナー像を転写ベルトに１次転写し、転写ベルトから出力用紙に２次転写し、更に定着装置で出力用紙上のトナー像を定着させる処理を行う。
【００３９】
断裁部３８は、印刷部３７が画像を形成した出力用紙をページ単位で断裁する部分であり、反転機構３８ａ、断裁機構３８ｂ、パージトレイ３８ｃ、検査部３８ｄなどを備える。反転機構３８ａは、出力用紙を反転させる。断裁機構３８ｂは、出力用紙の断裁処理を実施する。パージトレイ３８ｃは、断裁後の用紙の内の後処理部３９が使用しない用紙を排紙する。検査部３８ｄは、断裁後の用紙をＣＣＤ等のイメージセンサで読み取り、当該用紙に形成された画像の濃度や位置が正常であるかなどの検査を行う。
【００４０】
後処理部３９は、断裁部３８が断裁した用紙に対して、必要に応じて、パンチやステープルなどの後処理を実施する部分であり、後処理機構３９ａ、ＰＩ（Post Insertor）トレイ３９ｂ、メイン排紙トレイ３９ｃ、サブ排紙トレイ３９ｄなどを備える。後処理機構３９ａは、ステープルやパンチなどの後処理を実施する。ＰＩトレイ３９ｂは、ＰＩ紙の挿入を実施する。メイン排紙トレイ３９ｃ、サブ排紙トレイ３９ｄは、後処理後の用紙を排出する。
【００４１】
また、上記制御部３１は、図４（ｂ）に示すように、ジョブ解析部４０、レイアウト部４１、リカバリ制御部４２などとして機能する。
【００４２】
ジョブ解析部４０は、クライアント端末２０などから、１部又は複数部の印刷を指示するジョブ又は複数のジョブを取得して解析する。そして、ジョブから印刷設定情報を取得してレイアウト部４１に通知する。
【００４３】
レイアウト部４１は、印刷設定情報に従って、各々の出力用紙に複数ページの画像（画像処理部３５から取得した画像データに基づく画像）をレイアウト（面付け）して画像データを生成し、生成した画像データを印刷部３７に出力する。また、レイアウト部４１は、リカバリ制御部４２から、再レイアウトが指示された場合は、リカバリ制御部によって特定されたページの画像を再レイアウトして画像データを生成し、生成した画像データを印刷部３７に出力する。なお、上記複数ページは、１つのジョブの１部の中の複数ページとしてもよいし、１つのジョブの複数の部、又は、複数ジョブに跨る複数ページとしてもよい。
【００４４】
リカバリ制御部４２は、断裁後の検査で画像の濃度や位置の異常を検出したり、後処理時に紙詰まり（ジャム）などの異常を検出したりしたかを判断し、異常を検出した場合は、正常に出力されたページが重複して再出力されないように、リカバリを行う用紙を判断（どの用紙に対してリカバリを行うかを判断）し、当該用紙に形成されたページをリカバリ対象として特定して、レイアウト部４１、印刷部３７、断裁部３８、必要に応じて後処理部３９にリカバリを指示する。例えば、画像形成を行った用紙を断裁した複数の用紙の内の、後段の用紙の異常を検出した場合、前段の用紙に形成したページは、リカバリ対象から除外する。また、後処理部３９でジャムが発生した場合、ジャムが発生した用紙以降の用紙に形成したページを、リカバリ対象とする。また、断裁された用紙に形成されたページ画像の濃度及び／又は位置の異常を検出した場合、当該ページを、リカバリ対象に追加する。そして、リカバリ制御部４２は、レイアウト部４１にリカバリ対象として特定したページを通知して、再レイアウトを指示する。
【００４５】
上記ジョブ解析部４０、レイアウト部４１、リカバリ制御部４２は、ハードウェアとして構成してもよいし、制御部３１をジョブ解析部４０、レイアウト部４１、リカバリ制御部４２（特に、レイアウト部４１、リカバリ制御部４２）として機能させるリカバリ制御プログラムとして構成し、当該リカバリ制御プログラムをＣＰＵ３１ａに実行させるようにしてもよい。
【００４６】
なお、図１乃至図４は、本実施例の印刷システム１０の一例であり、その構成や制御は適宜変更可能である。例えば、図３及び図４では、画像形成装置３０に後処理機の機能を備える構成としたが、後処理機は別の装置としてもよい。また、図４では、画像形成装置３０の制御部３１をジョブ解析部４０、レイアウト部４１、リカバリ制御部４２として機能させる（ＣＰＵ３１ａにリカバリ制御プログラムを実行させる）構成としたが、印刷システム１０にＲＩＰコントローラを備える場合は、ＲＩＰコントローラの制御部をジョブ解析部、レイアウト部、リカバリ制御部（特に、レイアウト部、リカバリ制御部）として機能させる（ＲＩＰコントローラの制御部のＣＰＵにリカバリ制御プログラムを実行させる）構成としてもよい。また、本実施例では、クライアント端末２０からジョブを受信する構成としているが、サーバなどからジョブを受信したり、ＵＳＢ（Universal Serial Bus）メモリなどの記録媒体からジョブを取得したりしてもよく、その場合は、クライアント端末２０を省略することができる。
【００４７】
以下、本実施例の画像形成装置３０の動作について説明する。ＣＰＵ３１ａは、ＲＯＭ３１ｂ又は記憶部３２に記憶したリカバリ制御プログラムをＲＡＭ３１ｃに展開して実行することにより、図５のフローチャート図に示す各ステップの処理を実行する。
【００４８】
制御部３１（ジョブ解析部４０）は、クライアント端末２０などからジョブ（１部又は複数部の印刷を指示する１つのジョブ又は複数のジョブ）を受信し（Ｓ１０１）、ジョブで用紙分割モードが指定されているか（すなわち、複数ページのレイアウト及びページ単位の断裁を行うか）を判断する（Ｓ１０２）。用紙分割モードが指定されている場合は（Ｓ１０２のＹｅｓ）、制御部３１（レイアウト部４１）は、ジョブの全ページに対して複数ページのレイアウトを実施する（Ｓ１０３）。例えば、用紙１枚２面付け（２ｉｎ１）の場合は、各々の用紙に２ページの画像をレイアウトする。そして、印刷部３７は、ジョブで指定された用紙に、レイアウトされた複数ページの画像を印刷し、断裁部３８は、複数ページの画像のレイアウトが実施された場合は、ページ単位で用紙を断裁後、後処理部３９に出力する（Ｓ１０４）。
【００４９】
次に、制御部３１（リカバリ制御部４２）は、異常を検出したか（断裁部３８の検査部３８ｄによる検査で画像の濃度や位置の異常を検出したり、後処理部３９で紙詰まり（ジャム）などの異常を検出したりしたか）を判断し（Ｓ１０５）、異常を検出した場合は（Ｓ１０５のＹｅｓ）、断裁した後段の用紙に印刷したページ（後続ページと呼ぶ。）からのリカバリが必要であるか（すなわち、後段の用紙で異常が検出されたか）を判断する（Ｓ１０６）。異常を検出していない場合（Ｓ１０５のＮｏ）、又は、後続ページからのリカバリが必要と判断しなかった場合は（Ｓ１０６のＮｏ）は、Ｓ１０８に遷移し、後続ページからのリカバリが必要と判断した場合は（Ｓ１０６のＹｅｓ）、制御部３１（レイアウト部４１）は、断裁した前段の用紙に印刷したページ（先行ページと呼ぶ。）を除外して、後続ページ以降の全ページに対して再レイアウトを実施する（Ｓ１０７）。
【００５０】
その後、制御部３１は、全ての用紙の排出が完了したかを判断し（Ｓ１０８）、排出していない用紙がある場合は（Ｓ１０８のＮｏ）、Ｓ１０４に戻って、その用紙に対して同様の処理を繰り返す。そして、全ての用紙の排出が完了したら（Ｓ１０８のＹｅｓ）、一連の処理を終了する。
【００５１】
図６及び図７は、上記制御の具体例であり、図６は、印刷物作成時にジャムが発生した場合を説明する模式図、図７は、ジャムに対してリカバリする場合を説明する模式図である。例えば、図６（ａ）に示すように、Ａ４原稿３ページ（Ｐ１〜Ｐ３）を２部出力するジョブを実施する場合、図６（ｂ）に示すように、印刷部３７は、Ａ３用紙４枚に２ｉｎ１でページをレイアウトして画像形成し、図６（ｃ）に示すように、断裁部３８は、Ａ３用紙をＡ４サイズに断裁して白紙以外の用紙を後処理部３９に送り、図６（ｄ）に示すように、後処理部３９は、白紙以外の用紙に対してステープル等の後処理を実施する。その際、１部目のＰ２で異常（ジャム）を検出し（Ｓ１０５のＹｅｓ）、後続ページからのリカバリが必要と判断した場合（Ｓ１０６のＹｅｓ）、異常を検出した用紙（ここでは１枚目のＡ３用紙）の先行ページ（ここでは１部目のＰ１）を除外して再レイアウトを実施する（Ｓ１０７）。
【００５２】
具体的には、図７（ａ）に示すように、レイアウト部４１は、１部目のＰ２、Ｐ３、２部目のＰ１〜Ｐ３の計５ページの再レイアウトを実施し、印刷部３７は、１枚目のＡ３用紙に１部目のＰ２とＰ３、２枚目のＡ３用紙に２部目のＰ１とＰ２、３枚目のＡ３用紙に２部目のＰ３と白紙を割り付けて画像形成を行う。次に、図７（ｂ）に示すように、断裁部３８は、Ａ３用紙をＡ４サイズに断裁して、１部目のＰ２及びＰ３、２部目のＰ１〜Ｐ３を後処理部３９に送り、２部目の白紙をパージトレイに出力する。そして、図７（ｃ）に示すように、後処理部３９は、機内に残存している１部目のＰ１に、リカバリした１部目のＰ２及びＰ３、２部目のＰ１〜Ｐ３を加えてステープル等の後処理を行う。
【００５３】
このように、断裁後の検査で画像の濃度や位置の異常を検出したり、後処理時に紙詰まり（ジャム）などの異常を検出したりした場合に、正常に出力されたページが重複して再出力されないようにすることにより、無駄な用紙の発生を抑制することができる。
【実施例２】
【００５４】
次に、本発明の第２の実施例に係る画像形成装置、リカバリ制御プログラム及びリカバリ制御方法について、図８乃至図１０を参照して説明する。図８は、本実施例の画像形成装置の動作を示すフローチャート図であり、図９は、印刷物作成時にジャムが発生した場合を説明する模式図、図１０は、ジャムに対してリカバリする場合を説明する模式図である。
【００５５】
前記した第１の実施例では、異常が発生した用紙以降の全ての用紙を後処理部３９から除去してリカバリを行ったが、後処理部３９に有効な用紙が残存している場合は、その用紙に印刷されたページを再レイアウトの対象外とすることにより、更に無駄な用紙の発生を抑制することができる。
【００５６】
その場合、印刷システム１０の構成は第１の実施例と同様であるが、画像形成装置３０の制御部３１（リカバリ制御部４２）は、ジャムが発生した用紙以降の用紙に形成したページの内の、後処理部３９に残存する再利用可能なページは、リカバリ対象から除外する。具体的には、後処理部３９内部に有効シート（異常を検出した用紙よりの後の用紙であって印刷物の作成に使用できるもの）があるかを判断し、有効シートがある場合は、その有効シートに印字済みのページを面付け除外ページに追加する。また、制御部３１（レイアウト部４１）は、面付け除外ページがある場合は、面付け除外ページを除外して再レイアウトを実施する。
【００５７】
以下、上記構成の画像形成装置３０の動作について説明する。ＣＰＵ３１ａは、ＲＯＭ３１ｂ又は記憶部３２に記憶したリカバリ制御プログラムをＲＡＭ３１ｃに展開して実行することにより、図８のフローチャート図に示す各ステップの処理を実行する。
【００５８】
図５のフローチャート図と同様に、制御部３１（ジョブ解析部４０）は、クライアント端末２０などからジョブを受信し（Ｓ２０１）、ジョブで用紙分割モードが指定されているかを判断する（Ｓ２０２）。用紙分割モードが指定されている場合は（Ｓ２０２のＹｅｓ）、制御部３１（レイアウト部４１）は、ジョブの全ページに対して複数ページのレイアウトを実施する（Ｓ２０３）。そして、印刷部３７は、ジョブで指定された用紙に、レイアウトされた複数ページの画像を印刷し、断裁部３８は、複数ページの画像のレイアウトが実施された場合は、ページ単位で用紙を断裁後、後処理部３９に出力する（Ｓ２０４）。
【００５９】
次に、制御部３１（リカバリ制御部４２）は、異常を検出したか（断裁部３８の検査部３８ｄによる検査で画像の濃度や位置の異常を検出したり、後処理部３９で紙詰まり（ジャム）などの異常を検出したりしたか）を判断し（Ｓ２０５）、異常を検出した場合は（Ｓ２０５のＹｅｓ）、断裁した後段の用紙に印刷した後続ページからのリカバリが必要であるかを判断する（Ｓ２０６）。後続ページからのリカバリが必要と判断した場合は（Ｓ２０６のＹｅｓ）、制御部３１（レイアウト部４１）は、断裁した前段の用紙に印刷した先行ページを除外して、後続ページ以降の全ページに対して再レイアウトを実施する（Ｓ２０７）。
【００６０】
次に、制御部３１（リカバリ制御部４２）は、後処理部３９の内部に有効シートがあるかを判断し（Ｓ２０８）、有効シートがある場合は（Ｓ２０８のＹｅｓ）、有効シートに印字済みのページを面付け除外ページに追加する（Ｓ２０９）。そして、制御部３１（レイアウト部４１）は、面付け除外ページがあるかを判断し（Ｓ２１０）、面付け除外ページがある場合は（Ｓ２１０のＹｅｓ）、面付け除外ページを除外して再レイアウトを実施する（Ｓ２１１）。
【００６１】
その後、制御部３１は、全ての用紙の排出が完了したかを判断し（Ｓ２１２）、排出していない用紙がある場合は（Ｓ２１２のＮｏ）、Ｓ２０４に戻って、その用紙に対して同様の処理を繰り返す。そして、全ての用紙の排出が完了したら（Ｓ２１２のＹｅｓ）、一連の処理を終了する。
【００６２】
図９及び図１０は、上記制御の具体例であり、図９は、印刷物作成時にジャムが発生した場合を説明する模式図、図１０は、ジャムに対してリカバリする場合を説明する模式図である。例えば、図９（ａ）に示すように、Ａ４原稿３ページ（Ｐ１〜Ｐ３）を２部出力するジョブを実施する場合、図９（ｂ）に示すように、印刷部３７は、Ａ３用紙４枚に２ｉｎ１でページをレイアウトして画像形成し、図９（ｃ）に示すように、断裁部３８は、Ａ３用紙をＡ４サイズに断裁して白紙以外の用紙を後処理部３９に送り、図９（ｄ）に示すように、後処理部３９は、白紙以外の用紙に対してステープル等の後処理を実施する。その際、１部目のＰ２で異常（ジャム）を検出し（Ｓ２０５のＹｅｓ）、後続ページからのリカバリが必要と判断した場合（Ｓ２０６のＹｅｓ）、異常を検出した用紙（ここでは１枚目のＡ３用紙）の先行ページ（ここでは１部目のＰ１）を除外して再レイアウトを実施する（Ｓ２０７）。更に、後処理部３９内に有効シート（ここでは、１部目のＰ３、２部目のＰ１及びＰ２）が残存している場合（Ｓ２０８のＹｅｓ）、それらを面付け除外ページに追加し（Ｓ２０９）、面付け除外ページを除外して再レイアウトを実施する（Ｓ２１１）。
【００６３】
具体的には、図１０（ａ）に示すように、レイアウト部４１は、１部目のＰ２と２部目のＰ３の計２ページの再レイアウトを実施し、印刷部３７は、Ａ３用紙に１部目のＰ２と２部目のＰ３を割り付けて画像形成を行う。次に、図１０（ｂ）に示すように、断裁部３８は、Ａ３用紙をＡ４サイズに断裁して、１部目のＰ２と２部目のＰ３を後処理部３９に送る。そして、図１０（ｃ）に示すように、後処理部３９は、機内に残存している１部目のＰ１の後ろに、リカバリした１部目のＰ２を加えると共に、機内に残存している１部目のＰ３、２部目のＰ１、Ｐ２の後ろに、リカバリした２部目のＰ３を加えてステープル等の後処理を行う。
【００６４】
このように、後処理部３９内部に有効シートがある場合、それらを面付け除外ページに追加し、面付け除外ページを除外して再レイアウトを実施することにより、更に無駄な用紙の発生を抑制することができる。
【実施例３】
【００６５】
次に、本発明の第３の実施例に係る画像形成装置、リカバリ制御プログラム及びリカバリ制御方法について、図１１及び図１２を参照して説明する。図１１は、本実施例の画像形成装置の動作を示すフローチャート図であり、図１２は、本実施例の画像形成装置に表示される設定画面の一例である。
【００６６】
前記した第１及び第２の実施例では、異常を検出した場合のリカバリ時に再レイアウトを実施したが、再レイアウトを実施（レイアウトを変更）するかどうかをユーザに選択させることもできる。
【００６７】
その場合、印刷システム１０の構成は第１の実施例と同様であるが、画像形成装置３０の制御部３１（リカバリ制御部４２）は、断裁された用紙の異常を検出した場合に、表示操作部３４に、リカバリ時に画像の再レイアウトを実施するか否かを選択させる設定画面（例えば、図１２に示すような設定画面５０）を表示させ、リカバリ時のレイアウト変更を「する」が選択された場合は、レイアウト部４１に再レイアウトを指示し、「しない」が選択された場合は、レイアウト部４１に再レイアウトを指示しないように制御する。
【００６８】
以下、上記画像形成装置３０の動作について説明する。ＣＰＵ３１ａは、ＲＯＭ３１ｂ又は記憶部３２に記憶したリカバリ制御プログラムをＲＡＭ３１ｃに展開して実行することにより、図１１のフローチャート図に示す各ステップの処理を実行する。
【００６９】
図５、８のフローチャート図と同様に、制御部３１（ジョブ解析部４０）は、クライアント端末２０などからジョブを受信し（Ｓ３０１）、ジョブで用紙分割モードが指定されているかを判断する（Ｓ３０２）。用紙分割モードが指定されている場合は（Ｓ３０２のＹｅｓ）、制御部３１（レイアウト部４１）は、ジョブの全ページに対して複数ページのレイアウトを実施する（Ｓ３０３）。そして、印刷部３７は、ジョブで指定された用紙に、レイアウトされた複数ページの画像を印刷し、断裁部３８は、複数ページの画像のレイアウトが実施された場合は、ページ単位で用紙を断裁後、後処理部３９に出力する（Ｓ３０４）。
【００７０】
次に、制御部３１（リカバリ制御部４２）は、異常を検出したか（断裁部３８の検査部３８ｄによる検査で画像の濃度や位置の異常を検出したり、後処理部３９で紙詰まり（ジャム）などの異常を検出したりしたか）を判断し（Ｓ３０５）、異常を検出した場合は（Ｓ３０５のＹｅｓ）、表示操作部３４に、図１２に示すような設定画面５０を表示させて、レイアウト変更をするかしないかをユーザに選択させる。レイアウト変更を「する」が選択された場合は（Ｓ３０６のＹｅｓ）、制御部３１（リカバリ制御部４２）は、断裁した後段の用紙に印刷した後続ページからのリカバリが必要であるかを判断し（Ｓ３０７）、後続ページからのリカバリが必要と判断した場合は（Ｓ３０７のＹｅｓ）、断裁した前段の用紙に印刷した先行ページを除外して、後続ページ以降の全ページに対して再レイアウトを実施する（Ｓ３０８）。
【００７１】
次に、制御部３１（リカバリ制御部４２）は、後処理部３９の内部に有効シートがあるかを判断し（Ｓ３０９）、有効シートがある場合は（Ｓ３０９のＹｅｓ）、有効シートに印字済みのページを面付け除外ページに追加する（Ｓ３１０）。そして、制御部３１（レイアウト部４１）は、面付け除外ページがあるかを判断し（Ｓ３１１）、面付け除外ページがある場合は（Ｓ３１１のＹｅｓ）、面付け除外ページを除外して再レイアウトを実施する（Ｓ３１２）。
【００７２】
その後、制御部３１は、全ての用紙の排出が完了したかを判断し（Ｓ３１３）、排出していない用紙がある場合は（Ｓ３１３のＮｏ）、Ｓ３０４に戻って、その用紙に対して同様の処理を繰り返す。そして、全ての用紙の排出が完了したら（Ｓ３１３のＹｅｓ）、一連の処理を終了する。
【００７３】
このように、レイアウト変更をするかしないかをユーザに選択させることにより、より確実に無駄な用紙の発生を抑制することができる。
【００７４】
なお、本発明は上記実施例に限定されるものではなく、本発明の趣旨を逸脱しない限りにおいて、画像形成装置３０の構成や制御は適宜変更可能である。
【００７５】
例えば、上記実施例では、１つの出力用紙の一方の面に２つの画像をレイアウトする２ｉｎ１を例にして説明したが、４ｉｎ１や６ｉｎ１、９ｉｎ１などに対しても、本発明のリカバリ制御方法を同様に適用することができる。
【００７６】
また、上記実施例では、１つのジョブに対して本発明のリカバリ制御方法を適用する場合について説明したが、複数のジョブに対しても本発明のリカバリ制御方法を同様に適用することができる。
【００７７】
また、上記実施例では、画像形成装置３０が本発明のリカバリ制御方法を実施する場合について説明したが、画像形成装置３０を制御するコントローラが本発明のリカバリ制御方法を実施することもできる。
【産業上の利用可能性】
【００７８】
本発明は、出力用紙に複数ページの画像をレイアウトし、ページ単位で断裁して出力する画像形成装置、断裁後の用紙に異常を検出した場合のリカバリを制御するリカバリ制御プログラム、当該リカバリ制御プログラムを記録した記録媒体及びリカバリ制御方法に利用可能である。
【符号の説明】
【００７９】
１０  印刷システム
２０  クライアント端末
２１  制御部
２１ａ  ＣＰＵ
２１ｂ  ＲＯＭ
２１ｃ  ＲＡＭ
２２  記憶部
２３  ネットワークＩ／Ｆ部
２４  表示部
２５  操作部
２６  ＯＳ
２７  アプリケーション
２８  プリンタドライバ
３０  画像形成装置
３１  制御部
３１ａ  ＣＰＵ
３１ｂ  ＲＯＭ
３１ｃ  ＲＡＭ
３２  記憶部
３３  ネットワークＩ／Ｆ部
３４  表示操作部
３５  画像処理部
３６  画像読取部
３７  印刷部
３７ａ  給紙トレイ
３７ｂ  画像形成部
３８  断裁部
３８ａ  反転機構
３８ｂ  断裁機構
３８ｃ  パージトレイ
３８ｄ  検査部
３９  後処理部
３９ａ  後処理機構
３９ｂ  ＰＩトレイ
３９ｃ  メイン排紙トレイ
３９ｄ  サブ排紙トレイ
４０  ジョブ解析部
４１  レイアウト部
４２  リカバリ制御部
５０  設定画面
【図１】
2020001358.tif 000003
【図２】
2020001358.tif 000004
【図３】
2020001358.tif 000005
【図４】
2020001358.tif 000006
【図５】
2020001358.tif 000007
【図６】
2020001358.tif 000008
【図７】
2020001358.tif 000009
【図８】
2020001358.tif 000010
【図９】
2020001358.tif 000011
【図１０】
2020001358.tif 000012
【図１１】
2020001358.tif 000013
【図１２】
2020001358.tif 000014
【図１３】
2020001358.tif 000015
【図１４】
2020001358.tif 000016
【図１５】
2020001358.tif 000017